(57)【要約】【課題】  印刷機の版保持装置において、作業を容易にし見当調整に要する時間を短縮する。【解決手段】  版胴の切欠き２の底面２ａに共締めした蓋体３１と受板３３とによって、調整ボルト３４は版胴の半径方向を指向した状態で軸線方向の移動が規制され回転自在に支持されている。調整ボルト３４に螺合した移動子３５にはカムフォロア３６が枢支され、カムフォロア３６が係合するカム溝３７ａを有するカム板３７は万力台６に固定されている。調整ボルト３４の回転操作でカムフォロア３６が版胴の半径方向を移動することにより、カムフォロア３６とカム溝３７ａとのカム作用により、万力台６が版胴の軸線方向に移動する。【選択図】  図７
2009090644.tif 000002
【特許請求の範囲】
【請求項１】
版をくわえる版万力を版胴の軸線方向に移動させる版万力移動手段を備えた印刷機の版保持装置において、
版胴または版万力に回転自在で軸線方向への移動が規制されかつ軸線方向が版胴の半径方向を指向した一つのねじ軸と、
このねじ軸に螺合する移動子とを備え、
この移動子と係合し、前記ねじ軸の軸線方向に対して前記版胴の軸線方向に傾斜する傾斜係合部が前記版万力側または版胴側に設けられ、
前記移動子の移動により前記版万力を前記版胴の軸線方向へ移動させることを特徴とする印刷機の版保持装置。
【請求項２】
前記傾斜係合部が溝であることを特徴とする請求項１記載の印刷機の版保持装置。
【請求項３】
前記ねじ軸がボルトであり、
前記ボルトを版胴の半径方向および軸線方向への移動を規制した状態で回転自在に支持する蓋体および受板と、
前記移動子を版胴の半径方向に移動自在に支持する案内部材とを備え、
前記蓋体は前記ボルトの頭部を覆い、ボルトの頭部に設けられた操作部へ工具の挿入が可能な開口部が設けられ、
前記受板には前記ボルトの先端が当接し、
これら蓋体、案内部材、受板を前記版胴に固定したことを特徴とする請求項１または２記載の印刷機の版保持装置。
【発明の詳細な説明】
【技術分野】
【０００１】
本発明は、印刷機の版胴に装着された刷版の左右方向への見当調整を行うことができる印刷機の版保持装置に関するものである。
【背景技術】
【０００２】
この種の印刷機の版保持装置においては、刷版をくわえて保持する版万力を版胴の軸線方向へ移動させて刷版の見当調整を行う装置が設けられている。これは版万力の胴軸方向両端部にそれぞれ設けられたテーパ部と、これらテーパ部に対応してそれぞれ設けられた傾斜面を有するブロックとで構成され、軸方向一方側においてはブロックを移動させてこのブロックの傾斜面を版万力側のテーパ部から離間させ、軸方向他方側においてはブロックを版万力側のテーパ部を押圧するように移動させると、くさびの作用で版万力が軸方向一方側へ移動するので見当調整が行われるというものである（特許文献１参照）。
【特許文献１】特開２００７−１１１９３７号公報
【発明の開示】
【発明が解決しようとする課題】
【０００３】
しかしながら、上述した従来の印刷機の版保持装置を使って、万力台に保持された刷版の左右方向の見当を調整するには、両側に位置する調整装置をそれぞれ移動させる必要があるため、調整作業が煩雑になり見当調整に時間がかかるといった問題がある。
【０００４】
本発明は上記した従来の問題に鑑みなされたものであり、その目的とするところは、調整作業を容易にし見当調整に要する時間を短縮した印刷機の版保持装置を提供するところにある。
【課題を解決するための手段】
【０００５】
この目的を達成するために、本発明は、版をくわえる版万力を版胴の軸線方向に移動させる版万力移動手段を備えた印刷機の版保持装置において、版胴または版万力に回転自在で軸線方向への移動が規制されかつ軸線方向が版胴の半径方向を指向した一つのねじ軸と、このねじ軸に螺合する移動子とを備え、この移動子と係合し、前記ねじ軸の軸線方向に対して前記版胴の軸線方向に傾斜する傾斜係合部が前記版万力側または版胴側に設けられ、前記移動子の移動により前記版万力を前記版胴の軸線方向へ移動させるものである。
【０００６】
本発明は、前記発明において、前記傾斜係合部が溝である。
【０００７】
本発明は、前記発明のいずれか一つの発明において、前記ねじ軸がボルトであり、前記ボルトを版胴の半径方向および軸線方向への移動を規制した状態で回転自在に支持する蓋体および受板と、前記移動子を版胴の半径方向に移動自在に支持する案内部材とを備え、前記蓋体は前記ボルトの頭部を覆い、ボルトの頭部に設けられた操作部へ工具の挿入が可能な開口部が設けられ、前記受板には前記ボルトの先端が当接し、これら蓋体、案内部材、受板を前記版胴に固定したものである。
【発明の効果】
【０００８】
本発明によれば、一つのねじ軸を回転操作することにより、版胴に装着した刷版の左右方向への見当調整を行うことができるため、作業者は移動することなく、一回の操作によって調整作業を行うことができるから、作業が容易になり、作業時間も短縮することができる。
【０００９】
また、前記発明のうちの一つの発明によれば、蓋体と受板とによってボルトの版胴の軸線方向および版胴の半径方向への移動を規制し、移動子を案内部材によって版胴の半径方向へ移動自在に支持したことにより、移動子を版胴の半径方向へ移動自在に支持する専用の部材が不要になる。このため、部品点数が削減され、かつ構造が簡素化される。
【発明を実施するための最良の形態】
【００１０】
以下、本発明の実施の形態を図に基づいて説明する。図１は本発明に係る印刷機の版保持装置を実施した版胴の平面図、図２は図１におけるII-II 線断面図、図３は図１における III部の拡大図、図４は図３におけるIV-IV 線断面図、図５は図３におけるV-V 線断面図、図６は図４におけるVI-VI 線断面図、図７は図２における VII部の拡大図である。
【００１１】
先ず、図１および図２を用いてくわえ側版万力について説明する。図１に全体を符号１で示す版胴の外周部には、図２に示すように切欠き２が、版胴１の略全長にわたって形成されており、この切欠き２の両端開口は円板状に形成されたベアラ３，３によって閉塞されている。５は版胴１の軸線方向の全体に設けられたくわえ側版万力であって、断面を略正方形状に形成され版胴１の軸線方向に延在する一つの万力台６を備えており、この万力台６は版胴１の軸線方向（矢印Ａ−Ｂ方向）へ移動可能に支持されている。
【００１２】
８は平面視矩形状に形成され後述するように万力台６との協働で刷版をくわえるくわえ板であって、版胴１の軸線方向に複数（本実施例では四つ）並設されている。７は各くわえ板８の版胴１の軸線方向両側に設けられ、各くわえ板８を揺動自在に支持する万力台６に固定された支持部材であって、この支持部材７には水平方向に突出した支持ピン７ａが設けられている。各くわえ板８は支持部材７の支持ピン７ａを介して万力台６に揺動自在に支持されている。
【００１３】
したがって、これらくわえ板８は、万力台６の版胴１の軸線方向への移動に対して万力台６と一体的に移動する。これらくわえ板８は、図示を省略した付勢部材（ばね）によって図２中支持ピン７ａを回動中心として当該くわえ板８を開く方向（反時計方向）に付勢されている。くわえ板８の先端部に設けたくわえ面８ａは、万力台６に固定されたくわえ台９のくわえ面９ａに対向している。なお、くわえ板を開く方向とは、くわえ板８のくわえ面８ａがくわえ第９のくわえ面９ａから離間する方向のことをいい、くわえ板８を閉じる方向とはくわえ面８ａがくわえ面９ａに接触する方向のことをいう。
【００１４】
上記万力台６には全長にわたって断面が半円形に形成された孔６ａが設けられており、この孔６ａには、くわえ板８の後端部に固定されたプレート１０が当接するカム軸１１が嵌合されている。このカム軸１１には、円弧部と直線部とからなるカム部１１ａが設けられており、両端部（図示せず）がベアラ３，３から外部に突出している。このカム軸１１を回動操作することにより、カム部１１ａと図示を省略した付勢部材との作用でくわえ板８が揺動し、くわえ面８ａ，９ａが開閉するように構成されている。
【００１５】
次に、図１および図２を用いて尻側版万力について説明する。尻側版万力１５は、図１に示すようにくわえ側版万力５と平行して切欠き２内に設けられており、この尻側版万力１５は、版胴１の切欠き２の底面２ａに固定され版胴１の軸線方向の全体に延設されたばね受けバー１６を備えている。このばね受けバー１６には版胴１の半径方向に延設された規制面１６ａが形成されており、この規制面１６ａに穿設されたばね孔内には、鍔付きピン１７が圧縮コイルばね１８の弾発力によって規制面１６ａ方向へ付勢された状態で装填されている。
【００１６】
ばね受けバー１６と切欠き２の壁面２ｂとの間には、版胴１の軸線方向に２等分された万力台２０，２０が、図示を省略した調整手段によって版胴１の軸線方向の位置が微調整されるように構成されている。さらに、前記ばね受けバー１６と万力台２０との間には、断面がくの字状で版胴１の軸線方向に２等分されたくわえ板２１，２１が設けられており、このくわえ板２１と万力台２０とは、これらと略同長に形成された支持軸２２によって揺動自在に連結されている。
【００１７】
ばね受けバー１６と万力台２０との間には、互いに弾発する圧縮コイルばね２３が介装されている。くわえ板２１は上記した圧縮コイルばね１８の弾発力によって、ばね受けバー１６から離間する方向へ付勢されている。２４は万力台２０のばね孔内の底面とくわえ板２１との間に弾装された圧縮コイルばねであって、万力台２０とくわえ板２１とを互いに離間させる方向へ付勢している。切欠き２の壁面２ｂに固定されたブロック２５と壁面２ｂとで形成された凹部内には、円弧部と直線部とで形成されたカム部２６ａを有するカム軸２６が設けられている。このカム軸２６は両端部がベアラ３，３に回動自在に支持されており、このカム軸２６を回動操作することにより、万力台２０のくわえ面２０ａとくわえ板２１のくわえ面２１ａとが開閉するように構成されている。
【００１８】
次に、このような構成の印刷機の版保持装置において、刷版を版胴１の周面に装着する動作について説明する。図２において、くわえ側版万力５の万力台６およびくわえ板８の各くわえ面９ａ，８ａとの間に刷版のくわえ側端部を挿入し、図示を省略した駆動装置によってカム軸１１を回動させることにより、万力台６のくわえ面９ａに対してくわえ板８のくわえ面８ａを閉じ刷版のくわえ側端部をくわえる。次いで、版胴１を略１回転させ、刷版の尻側端部を尻側版万力１５の万力台２０およびくわえ板２１のそれぞれのくわえ面２０ａ，２１ａとの間に刷版の尻側端部を挿入する。
【００１９】
図示を省略した駆動装置によってカム軸２６を回動させることにより、大径部２６ａによって圧縮コイルばね２４の弾発力に抗して万力台２０を図中時計方向に回動させ、万力台２０のくわえ面２０ａに対してくわえ板２１のくわえ面２１ａを閉じ版の尻側端部をくわえる。このとき、カム軸２６の大径部２６ａに中央部が対接した万力台２０は、支持軸２２を支点として、圧縮コイルばね２３の付勢力によって、版張り方向（版胴１の周面における時計方向）に付勢されるため、刷版は天地方向に引っ張られ緊張した状態で版胴１の周面に装着される。以上説明した刷版の装着ないし版保持装置については、従来から知られている印刷機の版保持装置と格別変わるところはない。
【００２０】
次に、図１および図３ないし図７を用いて、本願発明の特徴であるくわえ側版万力５を版胴１の軸線方向へ移動させて版胴に装着された刷版の左右方向の見当調整を行う見当調整装置について説明する。図１に全体を符号３０で示す見当調整装置は、版胴１の軸線方向中央に位置付けられ、図７に示すように共に切欠き２の底面２ａに固定される蓋体３１、案内ブロック３２、受板３３と、蓋体３１と受け板３３との間で回転自在で軸線方向への移動が規制され見当調整するために操作するねじ軸としての調整ボルト３４と、この調整ボルト３４に螺合され上下方向へ移動する移動子３５と、この移動子３５と一体的に移動する係合部材としてのカムフォロア３６と、このカムフォロア３６の移動により万力台６を版胴１の軸線方向へ移動させるカム板３７とによって構成されている。
【００２１】
蓋体３１は略直方体状に形成され、下面の中央部には平面視円形で調整ボルト３４の頭部３４ａが嵌合する凹部３１ａが設けられており、上面には凹部３１ａに連通し凹部３１ａの直径よりも小さい直径に形成された開口部としての工具挿入孔３１ｂが設けられている。案内ブロック３２は、図６に示すように平面視コ字状に形成され、中央部には断面が正方形に形成された案内溝３２ａが版胴１の半径方向（矢印Ｃ−Ｄ方向）に延在するように設けられている。
【００２２】
受板３３の上面の中央部には、図４に示すように調整ボルト３４の先端部３４ｂが嵌合する平面視円形の凹部３３ａが設けられている。これら蓋体３１と案内ブロック３２と受板３３とは、版胴１の半径方向において工具挿入孔３１ｂと案内溝３２ａと凹部３３ａとが対応するようにボルト３９によって切欠き２の底面２ａに共締めされている。調整ボルト３４は、頭部３４ａに六角穴３４ｃが設けられており、この頭部３４ａが蓋体３１の凹部３１ａに嵌合され、先端部３４ｂが受板３３の凹部３３ａに嵌合されることにより、版胴１の軸線方向（矢印Ａ−Ｂ方向）および版胴１の半径方向（矢印Ｃ−Ｄ方向）への移動が規制され、版胴１の半径方向を指向した状態で回転自在に支持されている。
【００２３】
移動子３５は案内ブロック３２の案内溝３２ａに係入されるように略直方体状に形成され、中央部に調整ボルト３４が螺合するねじ孔３５ａが設けられており、一側面に小軸３５ｂが一体に突設されている。この移動子３５は、案内ブロック３２の案内溝３２ａに嵌合させ、ねじ孔３５ａに調整ボルト３４を螺合させ、調整ボルト３４を回転操作することにより、案内溝３２ａに沿って版胴１の半径方向へ移動する。このように、調整ボルト３４を蓋体３１と受板３３とによって版胴１の軸線方向および版胴１の半径方向への移動を規制し、移動子３５を案内ブロック３２の案内溝３２ａによって版胴１の半径方向へ移動自在に支持したことにより、移動子３５を版胴１の半径方向へ移動自在に支持する専用の部材が不要になる。このため、部品点数が削減され、かつ構造が簡素化される。
【００２４】
カムフォロア３６は直方体状に形成され、中央部に移動子３５の小軸３５ｂが嵌合される嵌合孔３６ａが設けられており、小軸３５ｂが嵌合されることにより、カムフォロア３６は小軸３５ｂに枢支される。
【００２５】
カム板３７には、図５に示すようにカムフォロア３６が係合する傾斜係合部としてのカム溝３８が設けられており、このカム溝３８は版胴１の半径方向（矢印Ｃ−Ｄ方向）に対して版胴１の軸線方向（矢印Ａ−Ｂ方向）に傾斜するように形成されている。すなわち、カム溝３７は、矢印Ｃ方向に対して矢印Ａ方向に傾斜し、矢印Ｄ方向に対して矢印Ｂ方向へ傾斜する互いに平行な第１の傾斜面３８ａと第２の傾斜面３８ｂとを有している。カムフォロア３６はこれら第１および第２の傾斜面３８ａ，３８ｂに嵌合し、これら傾斜面３８ａ，３８ｂに沿って移動する。このカム板３７は、図４に示すようにボルト４０，４０によって万力台６に固定されている。
【００２６】
次に、このように構成された印刷機の版保持装置において、くわえ側版万力にくわえられた刷版の左右方向への見当調整について説明する。先ず、くわえ側版万力５を矢印Ａ方向へ移動させる見当調整について説明する。予め、上述した方法で、くわえ側版万力５によって刷版のくわえ側端部をくわえ、尻側版万力１５によって刷版の尻側端部をくわえ、刷版を天地方向に引っ張った状態で版胴１の周面に装着する。
【００２７】
次いで、見当調整装置３０の蓋体３１の工具挿入孔３１ｂから差し入れたレンチの先端部を調整ボルト３４の六角穴３４ｃに係入させ、調整ボルト３４を図３中時計方向に回転操作する。この調整ボルト３４の回転により、移動子３５が図４中矢印Ｄ方向（一方向）へ移動し、この移動に追従してカムフォロア３６も図５中矢印Ｄ方向へ移動する。したがって、この移動するカムフォロア３６の側面とカム溝３８の第１の傾斜面３８ａとのカム作用により、カム板３７が矢印Ａ方向（版胴１の軸線方向の一方側）へ移動するため、カム板３７と一体的に万力台６が矢印Ａ方向へ移動して見当調整が行われる。
【００２８】
次に、くわえ側版万力５を矢印Ｂ方向へ移動させる見当調整について説明する。この場合は、見当調整装置３０の蓋体３１の工具挿入孔３１ｂから差し入れ、先端部を調整ボルト３４の六角穴３４ｃに係入したレンチによって、調整ボルト３４を図３中反時計方向に回転操作する。この調整ボルト３４の回転により、移動子３５が図４中矢印Ｃ方向（他方向）へ移動し、この移動に追従してカムフォロア３６も図５中矢印Ｃ方向へ移動する。したがって、この移動するカムフォロア３６の側面とカム溝３７ａとのカム作用により、カム板３７が矢印Ｂ方向へ移動するため、カム板３７と一体的に万力台６が矢印Ｂ方向（版胴１の軸線方向の他方側）へ移動して見当調整が行われる。
【００２９】
このように、一つの調整ボルト３４を回転操作することにより、版胴１に装着した刷版の左右方向への見当調整を行うことができるため、作業者は機械の左右へ移動することなく、一回の操作によって調整作業を行うことができるから、作業が容易になり、作業時間も短縮することができる。また、蓋体３１と受板３３とによって調整ボルト３４の版胴１の軸線方向および版胴１の半径方向への移動を規制し、移動子３５を案内ブロック３２の案内溝３２ａによって版胴１の半径方向へ移動自在に支持したことにより、移動子３５を版胴１の半径方向へ移動自在に支持する専用の部材が不要になる。このため、部品点数が削減され、かつ構造が簡素化される。
【００３０】
なお、本実施の形態においては、移動子３５を版胴１の半径方向（矢印Ｃ−Ｄ方向）へ確実かつ円滑に移動させるために案内ブロック３２に案内溝３２ａを設けたが、調整ボルト３４が蓋体３１の凹部３１ａと受板３３の凹部３３ａとによって版胴１の胴軸方向（矢印Ａ−Ｂ方向）への移動を規制され、調整ボルト３４の版胴１の半径方向を指向した状態が確実に維持されているので、案内溝３２ａは必ずしも必要としない。また、カムフォロア３６を移動子３５と別部材としたが、カムフォロア３６を移動子３５に一体に形成してもよい。また、見当調整装置３０をくわえ側版万力５に実施した例を説明したが、尻側版万力１５に実施してもよい。また、調整ボルト３４を版胴１側に設け、カム溝３８をくわえ側版万力５側に設けたが、調整ボルト３４をくわえ側版万力５側に設け、カム溝３８を版胴１側に設けるようにしてもよい。また、案内溝３８ａにカムフォロア３６を係合するようにしたが、案内溝３８ａの替わりに案内溝３８ａと同じ傾斜を有する突起を設け、カムフォロア３６の替わりに突起を挟む溝が形成されたブロックとしてもよい。
【図面の簡単な説明】
【００３１】
【図１】本発明に係る印刷機の版保持装置を実施した版胴の平面図である。
【図２】図１におけるII-II 線断面図である。
【図３】図１における III部の拡大図である。
【図４】図３におけるIV-IV 線断面図である。
【図５】図３におけるV-V 線断面図である。
【図６】図４におけるVI-VI 線断面図である。
【図７】図２における VII部の拡大図である。
【符号の説明】
【００３２】
１…版胴、２…切欠き、２ａ…底面、５…くわえ側版万力、６…万力台、８…くわえ板、１５…尻側版万力、３０…見当調整装置、３１…蓋体、３１ｂ…工具挿入孔（開口部）、３２…案内ブロック、３２ａ…案内溝、３３…受板、３４…調整ボルト（ねじ軸）、３５…移動子、３６…カムフォロア（係合部材）、３７…カム板、３８…カム溝（傾斜係合部）、３８ａ…第１の傾斜面、３８ｂ…第２の傾斜面。
【図１】
2009090644.tif 000003
【図２】
2009090644.tif 000004
【図３】
2009090644.tif 000005
【図４】
2009090644.tif 000006
【図５】
2009090644.tif 000007
【図６】
2009090644.tif 000008
【図７】
2009090644.tif 000009